(57)【要約】      （修正有）【課題】弱い力で反転でき、かつ毛髪の狭持力に優れたかつら用ストッパ、及びこれを備えたかつらを提供する。【解決手段】複数の薄板１０を牽引固定して反転性を有するように形成され、かつらに固定されて、薄板１０を反転させることにより毛髪を挟んで、かつらを頭部に取付けるためのかつら用ストッパ１であって、複数の櫛歯１１が並設された根元部１２を有するコの字型薄板１０と、複数の櫛歯１１に対向する挟持部２１を有するＬ字型薄板１０とを備え、複数の櫛歯１１が根元部１２及び挟持部２１の短手方向に対して斜めに設けられ、挟持部２１に孔２１１又は凹部が形成され、薄板１０を反転させて毛髪を挟んだ際に、複数の櫛歯１１と挟持部２１との間に毛髪を挟圧保持する。【選択図】図１
2016037667.tif 000002
【特許請求の範囲】
【請求項１】
複数の薄板を牽引固定して反転性を有するように形成され、かつらに固定されて、前記薄板を反転させることにより毛髪を挟んで、かつらを頭部に取付けるためのかつら用ストッパであって、
複数の櫛歯が並設された根元部を有するコの字型薄板と、前記複数の櫛歯に対向する挟持部を有するＬ字型薄板とを備え、前記複数の櫛歯が前記根元部及び前記挟持部の短手方向に対して斜めに設けられ、前記挟持部に孔又は凹部が形成され、前記薄板を反転させて毛髪を挟んだ際に、前記複数の櫛歯と前記挟持部との間に毛髪を挟圧保持する
ことを特徴とするかつら用ストッパ。
【請求項２】
前記Ｌ字型薄板の挟持部に滑り止め部材が備えられ、前記薄板を反転させて毛髪を挟んだ際に、前記複数の櫛歯と前記滑り止め部材との間に毛髪を挟圧保持する
ことを特徴とする請求項１記載のかつら用ストッパ。
【請求項３】
前記滑り止め部材がチューブであることを特徴とする請求項２記載のかつら用ストッパ。
【請求項４】
前記滑り止め部材が、前記挟持部に塗布して形成されることを特徴とする請求項２記載のかつら用ストッパ。
【請求項５】
前記挟持部に孔が形成され、
前記滑り止め部材が、前記孔に嵌合して配置される
ことを特徴とする請求項２記載のかつら用ストッパ。
【請求項６】
前記根元部の短手方向に対する前記複数の櫛歯の傾斜角度が、０°より大きく、１５°以下である
ことを特徴とする請求項１〜５のいずれかに記載のかつら用ストッパ。
【請求項７】
毛髪を植毛されたかつらベースと、
該かつらベースに取付けられた、請求項１〜６のいずれかに記載のかつら用ストッパと、を備える
ことを特徴とするかつら。
【発明の詳細な説明】
【技術分野】
【０００１】
本発明は、かつら用ストッパに関し、特に弱い力で反転でき、かつ毛髪の狭持力に優れたかつら用ストッパ、及びこれを備えたかつらに関する。
【背景技術】
【０００２】
かつらを頭部に装着する方法として、複数のかつら用ストッパをかつらの内側周縁部に固定し、かつら用ストッパで毛髪を掴むことにより行う方法がある。
このようなかつら用ストッパとしては、例えば図７に示すものが知られている。このかつら用ストッパは、複数の櫛歯が並設された根元部を有するコの字型薄板と、櫛歯に対向する挟持部を有するコの字型薄板とを備え、櫛歯が根元部及び挟持部の短手方向に対して平行に設けられている。そして、薄板を反転させて毛髪を挟んだ際に、櫛歯と挟持部との間に毛髪を挟圧保持するようになっている。
【０００３】
このようなかつら用ストッパは、薄板を反転させるために比較的大きい力が必要になるため、指の力が弱い人にとっては、使いづらい場合があった。また、毛髪の挟持力が強すぎる場合には、取付けや取り外しにあたって痛みが生じたり、毛髪を傷めたりするおそれのある場合もあった。さらに、取付けに際して毛髪を掴み難にくく、かつらを装着しづらいという問題もあった。
【０００４】
一方、特許文献１の第４図には、櫛歯が根元部及び挟持部の短手方向に対して斜めに設けられたかつら用ストッパが開示されている。このようなかつら用ストッパによれば、毛髪の掴み易さが向上すると考えられる。
また、特許文献２の図１〜４には、挟持部に孔が設けられたかつら用ストッパが開示されている。このようなかつら用ストッパによれば、毛髪を櫛歯と挟持部との間に挟む際に、毛髪の一部が孔に沈み込む結果、毛髪と挟持部との摩擦力が増加して、かつら用ストッパによる毛髪の挟持力が向上すると考えられる。
【先行技術文献】
【特許文献】
【０００５】
【特許文献１】実公平３−１４４６号公報
【特許文献２】特開平９−７８３２７号公報
【発明の概要】
【発明が解決しようとする課題】
【０００６】
しかしながら、特許文献１のかつら用ストッパによれば、毛髪の掴み易さは向上すると考えられるが、このかつら用ストッパは、毛髪の挟持力について工夫をしたものではなかった。
また、特許文献２のかつら用ストッパによれば、毛髪の挟持力が向上すると考えられるものの、当該発明は、弱い力で反転でき、かつ毛髪の狭持力に優れたかつら用ストッパを提供するものではなかった。
【０００７】
ここで、特許文献１の第４図のように挟持部を滑り止め部材で覆うことによって毛髪と挟持部との摩擦力を増加させ、毛髪の挟持力を向上させることは、従来から行われている。そのためには、挟持部に滑り止め部材を装着する必要があるが、第４図の例では薄板の角部分を介して行う必要があることから、最適なサイズの滑り止め部材を装着することは難しく、挟持部の厚みよりも相当程度大きな滑り止め部材を取付けざるを得ないという問題があった。
これは、図７に示す従来のかつら用ストッパの場合も同様であり、挟持部を有する薄板がコの字型であるため、挟持部の厚みよりも相当程度大きな滑り止め部材を取付けざるを得ず、掴む毛髪の量が低減すると共に、挟持力も低減してしまうという問題があった。
【０００８】
一方、特許文献２に記載のかつら用ストッパでは、挟持部を有する薄板がＩ字型になっているため、最適なサイズの滑り止め部材を装着させることは可能である。
しかしながら、このように挟持部を有する薄板をＩ字型にする場合、薄板の反転力が大きく低下するため、毛髪の挟持力が低くなるという問題があった。
【０００９】
そこで、本発明者は鋭意研究し、挟持部を有する薄板をＬ字型にし、櫛歯を根元部及び挟持部の短手方向に対して斜めに設けると共に、挟持部に孔又は凹部を設ける構成とすることによって、薄板を比較的弱い力で反転できる程度に反転力を調整しつつ、最適なサイズの滑り止め部材を装着させ、優れた毛髪の挟持力を実現することに成功した。
本発明によれば、従来の挟持部を有する薄板がコの字型の場合に薄板の反転力が強すぎることがあるという問題を解消でき、櫛歯により毛髪をより多く掴み易くなり、挟持部に設けられた孔又は凹部と最適なサイズの滑り止め部材によって、毛髪に対する優れた挟持力を得ることが可能となっている。
【００１０】
すなわち、本発明は、弱い力で反転でき、かつ毛髪の狭持力に優れたかつら用ストッパ、及びかつらの提供を目的とする。
【課題を解決するための手段】
【００１１】
この目的を達成するため、本発明のかつら用ストッパは、複数の薄板を牽引固定して反転性を有するように形成され、かつらに固定されて、前記薄板を反転させることにより毛髪を挟んで、かつらを頭部に取付けるためのかつら用ストッパであって、複数の櫛歯が並設された根元部を有するコの字型薄板と、前記複数の櫛歯に対向する挟持部を有するＬ字型薄板とを備え、前記複数の櫛歯が前記根元部及び前記挟持部の短手方向に対して斜めに設けられ、前記挟持部に孔又は凹部が形成され、前記薄板を反転させて毛髪を挟んだ際に、前記複数の櫛歯と前記挟持部との間に毛髪を挟圧保持する構成としてある。
また、本発明のかつらは、毛髪を植毛されたかつらベースと、該かつらベースに取付けられた、上記かつら用ストッパとを備えた構成としてある。
【発明の効果】
【００１２】
本発明によれば、弱い力で反転でき、かつ毛髪の狭持力に優れたかつら用ストッパ、及びかつらの提供が可能となる。
【図面の簡単な説明】
【００１３】
【図１】本発明の第一実施形態に係るかつら用ストッパの表側と裏側を示す図である。
【図２】本発明の第一実施形態に係るかつら用ストッパの閉じた状態及び開いた状態を示す斜視図である。
【図３】本発明の第一実施形態に係るかつら用ストッパの部品を示す図である。
【図４】本発明の第一実施形態に係るかつら用ストッパを備えたかつらを示す図である。
【図５】本発明の第二実施形態に係るかつら用ストッパの表側と裏側を示す図である。
【図６】本発明の第二実施形態に係るかつら用ストッパにおける滑り止め部材の応用例を示す部分拡大図である。
【図７】従来のかつら用ストッパを示す図である。
【発明を実施するための形態】
【００１４】
以下、本発明に係るかつら用ストッパの好ましい実施形態について、図面を参照して説明する。
【００１５】
［第一実施形態］
本発明のかつら用ストッパの第一実施形態について、図１〜図３を参照して説明する。図１は、本実施形態に係るかつら用ストッパの表側と裏側（共に毛髪を掴んでいない状態，開いた状態）を示している。図２は、本実施形態に係るかつら用ストッパの薄板を反転させた状態（毛髪を掴む時の状態，閉じた状態）と開いた状態の斜視図を示している。図３は、本実施形態に係るかつら用ストッパを構成する部品（Ｌ字型薄板，コの字型薄板，接合部材）を示している。
【００１６】
本実施形態のかつら用ストッパ１は、複数の薄板を牽引固定して反転性を有するように形成され、かつらに固定されて、薄板を反転させることにより毛髪を挟んで、かつらを頭部に取付けるためのものである。
具体的には、図１〜３に示すように、本実施形態のかつら用ストッパ１は、複数の櫛歯１１が並設された根元部（櫛歯根元部）１２を有する本体部１０（コの字型薄板）と、複数の櫛歯１１に対向する挟持部（長脚辺）２１を有する支持板２０（Ｌ字型薄板）とを備え、複数の櫛歯１１が根元部１２及び挟持部２１の短手方向に対して斜めに設けられ、挟持部２１に挟持孔２１１（又は凹部）が形成され、薄板（本体部１０及び支持板２０）を反転させて毛髪を挟んだ際に、複数の櫛歯１１と挟持部２１との間に毛髪を挟圧保持する構成となっている。
【００１７】
本実施形態のかつら用ストッパ１において、本体部１０の根元部１２に並設された複数の櫛歯１１は、根元部１２及び挟持部２１の短手方向に対して斜めに設けられている。
根元部１２及び挟持部２１の短手方向に対する櫛歯１１の傾斜角度は、０°より大きく１５°以下であることが好ましい。
【００１８】
櫛歯１１を、根元部１２及び挟持部２１の短手方向に対して斜めに設けることで、かつらの装着に際して毛髪と櫛歯１１を交差させ易くでき、平行に設ける場合に比較して、毛髪を櫛歯１１と挟持部２１との間に挟みやすくなるため、より多量の毛髪を容易に挟持させることが可能となる。
一方、櫛歯１１の傾斜角度が大きくなると、櫛歯１１と挟持部２１による毛髪の挟持力が弱くなり、傾斜角度が１５°を超えると、毛髪を十分に掴むことができなくなる場合がある。
このような観点から、櫛歯１１の傾斜角度は、５°以上、１１．５°以下であることがより好ましく、８．５°以上、１０．５°以下であることがさらに好ましい。
【００１９】
ここで、櫛歯先端部１４には、頭皮を傷付けないための加工を行うことが望ましく、ディッピング加工（樹脂に浸漬することによるコーティング）を行うことが好ましい。このディッピング加工は、櫛歯１１の傾斜角度が１１．５°以下の時に行い易い。したがって、このような観点からも櫛歯１１の傾斜角度を１１．５°以下にすることがより好ましい。
【００２０】
また、本実施形態のかつら用ストッパ１は、支持板２０における挟持部２１に挟持孔２１１（又は凹部）を備えている。このように本実施形態のかつら用ストッパ１に挟持孔２１１を備えることで、薄板を反転させて毛髪を挟んだ際に、毛髪を挟持孔２１１にわずかに沈み込ませることができ、毛髪と挟持部２１との摩擦力が増加して、毛髪の挟持力を向上させることが可能となる。
また、このように挟持部２１に挟持孔２１１を備えることにより、かつら用ストッパ１を軽量化できるという効果も得られる。
【００２１】
さらに、本実施形態のかつら用ストッパ１では、櫛歯１１に対向する挟持部２１を有する支持板２０が、Ｌ字型の薄板により構成されている。このため、コの字型の薄板を用いた場合に比較して、薄板を反転させるのに必要な力を低減させることができ、薄板を比較的弱い力で反転させることが可能になっている。
【００２２】
ここで、一般的に、薄板の反転力が強ければ毛髪の挟持力も向上する。しかしながら、薄板の反転力が強すぎると反転させるために大きな力が必要となる。また、毛髪が強く引っ張られて痛みが生じたり、毛髪が傷んだりする場合がある。
そこで、上記の通り、本実施形態のかつら用ストッパ１では、支持板２０をＬ字型の薄板にすることによって、薄板の反転力を相対的に小さくなるように調整しつつ、櫛歯１１を根元部１２及び挟持部２１の短手方向に対して斜めに設け、かつ挟持部２１に挟持孔２１１を備えることによって、毛髪の挟持力を向上させている。
したがって、本実施形態のかつら用ストッパ１によれば、比較的弱い力で薄板を反転できると共に、一般的には反転力の低減とは相反する効果である、優れた毛髪の挟持力をも同時に実現することが可能になっている。
【００２３】
また、本実施形態のかつら用ストッパ１は、このようにＬ字型の支持板２０を用いているため、挟持部２１に滑り止め部材を備える場合に、最適なサイズのものを備えることができるという効果も奏するが、これについては、第二実施形態において詳細に説明する。
【００２４】
本実施形態のかつら用ストッパ１を構成する部品は、図３に示すように、本体部１０（コの字型薄板）と、支持板２０（Ｌ字型薄板）と、接合部材３０とからなっている。
本体部１０の脚辺１３（１３ａ，１３ｂ）は、根元部１２に対して垂直ではなく、根元部１２との成す角が鈍角になるように、両外側に根元部１２の両端から延びている。なお、脚辺１３ａと１３ｂのいずれか一方のみを根元部１２との成す角が鈍角になるようにし、他方を根元部１２に対してほぼ垂直にしても良い。
また、支持板２０の短脚辺２２も同様に、挟持部２１に対して垂直ではなく、挟持部２１との成す角が鈍角になるように、挟持部２１の一端部から延びている。
【００２５】
そして、本体部１０と支持板２０とを接合部材３０を用いて結合するに際し、脚辺１３（１３ａ，１３ｂ）が根元部１２に対してほぼ垂直になるように牽引しつつ、かつ短脚辺２２が挟持部２１に対してほぼ垂直になるように牽引して、図１に示すように、脚辺１３ａと長脚辺２１とを接合部材３０ａにより固定すると共に、脚辺１３ｂと短脚辺２２とを接合部材３０ｂ及び３０ｃにより固定する。これによって、本実施形態のかつら用ストッパ１に、反転性を持たせることができる。
【００２６】
その反転力の強さは、主として本体部１０に生じる歪みの大きさに左右される。歪みが大きければ反転力は強くなり、逆に歪みが小さければ反転力は弱くなる。本体部１０における根元部１２を大きく歪ませると、かつら用ストッパ１が閉じた状態における毛髪の挟持力は大きくなる。また、反転力の強さは、根元部１２の幅ｄや材料の強度にも左右され、根元部１２の幅ｄが厚いほど反転力は強くなり、材料の強度が高いほど反転力は強くなる。
【００２７】
本体部１０における根元部１２と脚辺１３との成す角や根元部１２の幅ｄ、材料などの条件等が同じであれば、反転力の強さは、支持板２０の形状が、コの字型の場合が最も強く、次にＬ字型が強く、Ｉ字型が最も弱くなる。
【００２８】
支持板２０がコの字型薄板の場合、本体部１０と強く接合できるため、根元部１２を十分に歪ませることができる。このため、反転力の最も強いかつら用ストッパを製造することが可能となる。ただし、条件によっては反転力が強すぎる場合があり、かつら用ストッパに厚みが生じるという問題もある。
【００２９】
支持板２０がＩ字型薄板の場合、厚みが薄く、軽量であり、Ｌ字型の場合と同様に、最適なサイズの滑り止め部材を備えることができる。ただし、根元部１２を歪ませる力が弱くなるため、挟持力にやや乏しいかつら用ストッパとなる。
【００３０】
これに対して、支持板２０がＬ字型薄板の場合、比較的弱い力で反転できると共に、後述するように滑り止め部材に挟持部２１を容易に挿入でき、最適なサイズの滑り止め部材を挟持部２１に備えることができるため、毛髪の狭持力に優れたかつら用ストッパを得ることが可能になる。
【００３１】
本実施形態のかつら用ストッパ１の素材としては、ステンレスやチタンなどの金属材料を用いることができる。
また、本実施形態のかつら用ストッパ１の素材として、合成樹脂材料を使用することも好ましい。合成樹脂材料からなるかつら用ストッパは軽量であり、また、例えば海外旅行等に際し、空港で金属探知機により検出されるおそれもなく、安心して使用できるという利点がある。
【００３２】
このような合成樹脂材料としては、例えば、ポリアミドイミド（PAI），ポリエーテルエーテルケトン（PEEK），ポリフェニレンサルファイド（PPS），ポリイミド（PI），ポリフタルアミド（PPA），ポリサルファン（PSF），ポリアリレート（PAR），ポリエーテルサルフォン（PES），ポリエーテルイミド（PEI），ポリフェニルサルフォン（PPSU），ポリアミド（PA），ポリアセタール（POM），ポリカーボネート（PC），ポリブチレンテレフタレート（PBT），ポリフェニレンエーテル（PPE），ポリエチレンテレフタレート（PET），ポリエチレン（PE），ポリスチレン（PS），ポリプロピレン（PP），ABS樹脂，塩化ビニル樹脂（PVC），メタクリル樹脂（PMMA）等を挙げることができる。
【００３３】
以上のようなかつら用ストッパ１を備えたかつらを図４に示す。同図において、かつら５０は、毛髪４１を植毛されたかつらベース４０と、このかつらベース４０に固定された複数のかつら用ストッパ１とから構成されている。
かつらベース４０において、かつら用ストッパ１は、前頭部、後頭部、及び両側頭部に対応する位置の合計４箇所にそれぞれ配置されている。それぞれのかつら用ストッパ１は、図１に示すかつら取付け孔１５（１５a，１５ｂ,１５ｃ）や、接合部材３０（３０a，３０ｂ, ３０ｃ）において、かつらベース４０に縫い付けることなどにより取付けることができる。
【００３４】
なお、かつらベース４０は、部分かつら用のものであっても、全頭用のものであっても良い。
また、かつらベース４０におけるかつら用ストッパ１の配置は、これに限定されず、例えば２個若しくは３個、又は５個以上のかつら用ストッパ１をかつらベース４０に配置しても良い。
このような本実施形態のかつら用ストッパ１を備えたかつら５０は、比較的弱い力でかつら用ストッパ１を反転することができ、毛髪を掴み易く、毛髪の挟持力に優れたものとなる。
【００３５】
［第二実施形態］
本発明のかつら用ストッパの第二実施形態について、図５を参照して説明する。図５は、本実施形態に係るかつら用ストッパ１ａの表側と裏側を示している。本実施形態のかつら用ストッパ１ａは、滑り止め部材２３を備えている点で第一実施形態と異なる。その他の点については、第一実施形態と同様であり、第一実施形態と同じ構成については同一の符号を付して説明する。
【００３６】
すなわち、本実施形態のかつら用ストッパ１ａは、Ｌ字型薄板の挟持部２１に滑り止め部材２３が備えられ、薄板を反転させて毛髪を挟んだ際に、複数の櫛歯１１と滑り止め部材２３との間に、毛髪を挟圧保持することを特徴とする。
この滑り止め部材２３としては、シリコンチューブや、その他の樹脂等からなるチューブを好適に用いることができ、滑り止め部材２３に挟持部２１を挿入することで、挟持部２１を覆うことができる。
このとき、上述した通り、本実施形態のかつら用ストッパ１ａは、支持板２０がＬ字型であるため、チューブ状の滑り止め部材２３に挟持部２１を挿入し易く、挟持部２１の大きさに最適なサイズの滑り止め部材２３を備えることが可能になっている。
【００３７】
また、滑り止め部材２３は、チューブに限定されず、例えば挟持部２１の表面に対して、例えばウレタン樹脂，シリコン樹脂，ブタジエンゴム，ウレタンエラストマー等の滑り止め効果を有する樹脂を塗布することにより備えることもできる。このとき、挟持部２１において、孔又は凹部が形成されるように、樹脂を塗布することが好ましい。
【００３８】
さらに、図６に示すように、挟持部２１に挟持孔２１１が形成されている場合、その孔に滑り止め部材２３ａを挿入し、嵌合して配置させる構成とすることも好ましい。
滑り止め部材をこのように構成すれば、チューブに挟持部２１を挿入して構成する場合に比較して、滑り止め部材の厚みをよりきめ細かく調整でき、毛髪の挟持力を一層向上させることが可能となる。
【００３９】
このように本実施形態のかつら用ストッパ１ａによれば、挟持部２１に滑り止め部材２３が備えられているため、毛髪を挟持するにあたり毛髪との摩擦力が増加し、毛髪に対する挟持力を向上させることができる。
また、支持板２０がＬ字型であるため、挟持部２１に最適なサイズの滑り止め部材２３を備えることができ、毛髪に対する挟持力をより向上させることが可能になっている。
【００４０】
さらに、挟持部２１に孔又は凹部が形成されているため、毛髪を挟持するにあたり、滑り止め部材２３を介して、毛髪が孔又は凹部にわずかに沈み込む結果、毛髪との摩擦力が増加して、毛髪に対する挟持力を一層向上させることが可能になっている。
また、滑り止め部材２３を挟持部２１の表面に塗布し、かつ挟持部２１に孔又は凹部を形成する場合にも、毛髪を孔又は凹部に沈み込ませることができ、毛髪との摩擦力が増加して、優れた毛髪の挟持力を得ることが可能である。
【００４１】
以上、本発明のかつら用ストッパの好ましい実施形態について説明したが、本発明のかつら用ストッパは上記実施形態のみに限定されるものではなく、本発明の範囲で種々の変更実施が可能であることは言うまでもない。
例えば、上記の実施形態では、支持板２０の短脚辺２２は、本体部１０における櫛歯１１の傾く側と反対側の脚辺１３ｂに結合するように設けられているが、短脚辺２２を櫛歯１１の傾く側の脚辺１３ａに結合するように設けたり、接合部材を２個又は４個以上設けるなど適宜変更することが可能である。
【産業上の利用可能性】
【００４２】
本発明は、薄板の反転力と毛髪の挟持力のバランスに優れたかつら用ストッパ、及びこれを備えたかつらを提供する場合に、好適に利用することが可能である。
【符号の説明】
【００４３】
１（１ａ）  かつら用ストッパ
１０  本体部
１１  櫛歯
１２  櫛歯根元部（根元部）
１３（１３ａ，１３ｂ）  脚辺
１４  櫛歯先端部
１５（１５ａ，１５ｂ，１５ｃ）  かつら取付け孔
２０  支持板
２１  挟持部（長脚部）
２１１  挟持孔
２２  短脚部
２３（２３ａ）  滑り止め部材
３０（３０ａ，３０ｂ，３０ｃ）  接合部材
４０  かつらベース
４１  毛髪
５０  かつら
【図１】
2016037667.tif 000003
【図２】
2016037667.tif 000004
【図３】
2016037667.tif 000005
【図４】
2016037667.tif 000006
【図５】
2016037667.tif 000007
【図６】
2016037667.tif 000008
【図７】
2016037667.tif 000009